(57)【特許請求の範囲】
【請求項１】
箱形状の建屋（１）内の一方側には顧客が玄米の品種選定操作及び始動操作を行う操作装置（１２）と、精米済み白米が排出される白米タンク（３８）と、白米タンク（３８）に排出された白米を収容する白米袋（４１）を取り出す袋自動取出装置（４２）とを設置する操作室（２）を設け、箱形状の建屋（１）内の他方側には玄米を供給する玄米供給装置（７）と、玄米供給装置（７）に供給した玄米から石を選別する石抜機（１５）と、石抜機（１５）で石を選別した玄米を昇穀する玄米供給昇穀機（１６）と、玄米供給昇穀機（１６）で昇穀した玄米を移送する移送装置（１９）と、複数種類の玄米を貯留する貯留タンク（２４ａ）（２４ｂ）（２４ｃ）と、移送装置（１９）で移送した玄米を貯留タンク（２４ａ）（２４ｂ）（２４ｃ）に落下供給させる自動切換装置（２１ａ）と、貯留タンク（２４ａ）（２４ｂ）（２４ｃ）内の玄米を計量する計量装置（２９）と、計量装置（２９）で計量された玄米を精米する精米機（３６）と、精米機（３６）から発生する糠を貯留する糠袋（３９）と、貯留タンク（２４ａ）（２４ｂ）（２４ｃ）内の玄米を所定温度に冷却する冷却装置（２６）とを設置する機械室（３）を設け、機械室（３）の後側には前記貯留タンク（２４ａ）（２４ｂ）（２４ｃ）と計量装置（２９）を設けると共に機械室（３）の横側で貯留タンク（２４ａ）（２４ｂ）（２４ｃ）の近傍位置には作業者が出入りする出入口（１０）である後側の扉（１１）を設け、機械室（３）の前側には玄米供給装置（７）と石抜機（１５）と精米機（３６）と糠袋（３９）を設けると共に機械室（３）の横側で玄米供給装置（７）と石抜機（１５）と精米機（３６）と糠袋（３９）の近傍位置には作業者が出入りする出入口（８）である前側の扉（９）を設けたことを特徴とする精米自動販売機。
【発明の詳細な説明】
【０００１】
【発明の属する技術分野】
この発明は、一方側に顧客が各種操作する操作装置を設置する操作室を設け、この操作室の反対側には、各種機械の貯留タンク等を設置する機械室等を設けた精米自動販売機に関する。
【０００２】
【従来の技術】
従来は、顧客が玄米を持参して、精白度合、及び精米する穀粒量等を設定し、この設定によって表示される金額を投入して、精米する方式のコイン精米機であった。
【０００３】
【発明が解決しようとする課題】
玄米を持参する顧客でないと使用できない機械であったが、玄米を持参しなくても、顧客が必要とする品種、精米量、及び精白度合等を設定し、この設定によって表示される金額を投入することにより、精米ができる機械にしようとするものである。
【０００４】
【課題を解決するための手段】
このために、この発明は、箱形状の建屋（１）内の一方側には顧客が玄米の品種選定操作及び始動操作を行う操作装置（１２）と、精米済み白米が排出される白米タンク（３８）と、白米タンク（３８）に排出された白米を収容する白米袋（４１）を取り出す袋自動取出装置（４２）とを設置する操作室（２）を設け、箱形状の建屋（１）内の他方側には玄米を供給する玄米供給装置（７）と、玄米供給装置（７）に供給した玄米から石を選別する石抜機（１５）と、石抜機（１５）で石を選別した玄米を昇穀する玄米供給昇穀機（１６）と、玄米供給昇穀機（１６）で昇穀した玄米を移送する移送装置（１９）と、複数種類の玄米を貯留する貯留タンク（２４ａ）（２４ｂ）（２４ｃ）と、移送装置（１９）で移送した玄米を貯留タンク（２４ａ）（２４ｂ）（２４ｃ）に落下供給させる自動切換装置（２１ａ）と、貯留タンク（２４ａ）（２４ｂ）（２４ｃ）内の玄米を計量する計量装置（２９）と、計量装置（２９）で計量された玄米を精米する精米機（３６）と、精米機（３６）から発生する糠を貯留する糠袋（３９）と、貯留タンク（２４ａ）（２４ｂ）（２４ｃ）内の玄米を所定温度に冷却する冷却装置（２６）とを設置する機械室（３）を設け、機械室（３）の後側には前記貯留タンク（２４ａ）（２４ｂ）（２４ｃ）と計量装置（２９）を設けると共に機械室（３）の横側で貯留タンク（２４ａ）（２４ｂ）（２４ｃ）の近傍位置には作業者が出入りする出入口（１０）である後側の扉（１１）を設け、機械室（３）の前側には玄米供給装置（７）と石抜機（１５）と精米機（３６）と糠袋（３９）を設けると共に機械室（３）の横側で玄米供給装置（７）と石抜機（１５）と精米機（３６）と糠袋（３９）の近傍位置には作業者が出入りする出入口（８）である前側の扉（９）を設けたことを特徴とする精米自動販売機の構成とする。
【０００５】
【発明の作用】
作業者が貯留タンク（２４ａ）（２４ｂ）（２４ｃ）に玄米を投入するときは、機械室（３）の前側の扉を開けて玄米供給装置（７）に玄米を供給する。すると、この玄米供給装置（７）から該石抜機（１５）、玄米供給昇穀機（１６）、該移送装置（１９）、及び該自動切換装置（２１ａ）を経て、該貯留タンク２４ａへ落下供給する構成である。貯留タンク（２４ａ）（２４ｂ）（２４ｃ）及び計量装置（２９）を点検するときには後側の扉（１１）の出入口（１０）より出入りする。そして、石抜機（１５）で取り出して貯留した石を建屋（１）外へ取り出すとき、或いは糠袋（３９）の交換の時には前側の扉（９）の出入口（８）より出入りする。  顧客が自分の要望する玄米の品種設定操作、及び始動操作を行う操作装置（１２）を設置した操作室（２）に入り、該操作装置（１２）でこれらの操作を行うことにより、この操作室（２）の反対側の機械室（３）内に設置した玄米を貯留する各貯留タンク（２４ａ）（２４ｂ）（２４ｃ）、計量装置（２９）、及び精米機（３６）が始動して、顧客が設定した所定の品種の玄米を所定量精米する。精米機（３６）で精米された白米は白米タンク（３８）に排出され、顧客は袋自動取出装置（４２）から白米袋（４１）を取り出し白米タンク（３８）内の白米を収容する。
【０００６】
【発明の効果】
顧客が玄米及び袋を持参しなくても、要望する品種の必要量が精米でき、白米袋（４１）に収容することができる。又、操作室（２）と機械室（３）とに分割したことにより、顧客が該機械室（３）内に入ることがなくなり、このために、各機械が誤操作されるトラブルをなくすることができた。また、扉（９）（１１）を個別に設けることで作業者は各作業を容易に行なうことができる。
さらに石抜機１５を設置したことで顧客に良質な白米を提供することができる。また、貯留タンク（２４ａ）（２４ｂ）（２４ｃ）内の玄米を所定温度に冷却することができる。
【０００７】
【実施例】
以下、本発明の一実施例を図面に基づいて説明する。図例は、箱形状の建屋１前部側には、操作室２と、この操作室２の反対側（後部側）には、仕切板２ａで仕切って機械室３を設け、これら操作室２、及び機械室３内には、玄米を精米する精米自動販売機４を設置した状態を示すものである。実施例は、後述する貯留タンク２４ａ，２４ｂ，２４ｃは３台設置した状態を表示する。
【０００８】
前記建屋１の操作室２前側には、顧客が出入する出入口５を設け、この出入口５には、引戸方式の扉６を設け、又、該建屋１の機械室３の横側には、作業者が玄米を後述する玄米供給装置７へ供給のとき、石抜機１５で取り出して貯留した石を該建屋１外へ取り出しするとき、及び糠袋３９を交換のときに出入する出入口８を設け、この出入口８には、開戸方式の扉９を設けると共に、作業者が後方部の後述する貯留タンク２４ａ，２４ｂ，２４ｃ、及び計量装置２９等を点検するときに出入する出入口１０を設け、この出入口１０には、開戸方式の扉１１を設け、これらの扉９，１１を個別に設けたことにより、各作業を容易に行うことができる。
【０００９】
前記操作室２内には、図１、及び図１２で示す如く操作装置１２を設置した構成である。この操作装置１２の操作パネル部１３ａには、ＯＮ−ＯＦＦスイッチ方式で、顧客が玄米の各品種を設定する各品種設定手段１２ａ、各品種の精米量を設定する各精米量設定手段１２ｂ、玄米の精白度を設定する精白度設定手段１２ｃ、精米自動販売機４を始動操作する始動手段１２ｄ、運転が開始され、例えば、急に玄米の品種追加、及び各品種の精米量を変更するときに、停止操作する停止手段１２ｅを設け、更にこれらの各種設定項目によって設定される金額と、各種設定項目等を順次デジタル表示する表示手段１２ｆ、この表示された金額を投入する投入口、及び出てくる釣銭を取り出す釣銭取出口等を設けた構成としている。
【００１０】
前記操作装置１２内には、制御装置１３を設け、この制御装置１３は、各種設定手段１２ａ，１２ｂ，１２ｃで設定された各種項目、及び始動・停止手段１２ｄ，２２ｃ，１２ｅの操作、石抜シャッタＳＷ２２ａ・切換スイッチ２２ｂの操作、後述する貯留センサ２５ａ，２５ｂ，２５ｃの検出、及び計量装置２９の検出値等が入力回路１４ａを経て入力され、これらの入力を算術論理演算、及び比較演算等を行う制御用マイコン１４ｂを設け、又、この制御用マイコン１４ｂからの指令で出力回路１４ｃを経て、精米自動販売機４の後述する各自動切換装置２７ａ，２７ｂ，２７ｃ，３０の切換制御、冷却装置２６ａ、移送モータ２３ａ，３２ａ、昇穀機モータ１８ａ，３５ａ，石抜モータ１５ｂを始動、及び停止、石抜シャッタ１５ａの作動、及び停止等の制御、及び表示手段１２ｆへ各種項目を表示する構成であり、該操作装置１２を操作するときは、顧客は、出入口５の扉６を開操作し、この出入口５から中に入って操作する構成としている。
【００１１】
前記操作装置１２での玄米の各品種の設定は、この操作装置１２の操作パネル部１３ａに、例えば、コシヒカリ、ササニシキ、アキタコマチ等と表示された下側の品種設定手段１２ａを操作すれば、その表示された品種が設定される構成であり、例えば、コシヒカリを設定したいときには、コシヒカリと表示された下側の該品種設定手段１２ａを操作すると、コシヒカリが選定されて設定される構成である。
【００１２】
又、精米量の設定は、所定の品種を該品種設定手段１２ａの操作で設定後にこの品種設定手段１２ａをＯＦＦ操作し、該操作装置１２の該操作パネル部１３ａに、例えば、設定する玄米量の１ｋｇ毎の１，２，３，４，５，……と表示された下側の精米量設定手段１２ｂを操作すれば、その表示された精米量が設定される構成であり、例えば、２ｋｇを設定したときには、２と表示された下側の該精米量設定手段１２ｂをＯＮ操作すると、２ｋｇが選定されて設定される構成としている。
【００１３】
又、所定の品種を設定して、前記品種設定手段１２ａをＯＦＦ操作後で、更に所定の精米量を設定して、精米量設定手段１２ｂをＯＦＦ操作した後でないと、次に設定する品種が設定できない構成である。顧客は、一種類の玄米の精米、及び多種類の品種の玄米を設定してブレンドし、このブレンド玄米を精米するいずれでもできる構成としている。
【００１４】
尚、所定の品種を設定するために、前記品種設定手段１２ａをＯＮ操作すると、その設定した品種の玄米の精米量は、５ｋｇ、又は１０ｋｇが自動的に設定できる構成として、精米量設定手段１２ｂを廃止する構成とするもよい。前記操作装置１２での玄米の精白度の設定は、この操作装置１２の操作パネル部１３ａに、例えば、白度上、白度普通、及び白度下と表示された下側の精白度設定手段１２ｃを操作すれば、その表示された精白度が設定される構成であり、例えば、白度上を設定したいときには、白度上と表示された下側の該白度設定手段１２ｃをＯＮ操作すると、白度上が選定されて設定される構成としている。
【００１５】
前記機械室３内には、図１、及び図２で示す如く作業者が、例えば、品種毎のコシヒカリ、ササニシキ、アキタコマチ等を投入する漏斗形状でホッパー形式の玄米供給装置１４を設け、この玄米供給装置１４へ玄米投入作業のときには、作業者は、出入口８の扉９を開操作して、この出入口８から入って玄米の投入作業を行う構成である。この玄米供給装置１４の下側には、玄米供給装置１４から玄米の供給を受ける石抜機１５を設け、この石抜機１５は、石抜機モータ１５ｂの作動によって、選別網の振動作用等により、玄米と石とを選別し、選別した石を除去する構成である。この除去された石は、この石抜機１５の機外の所定位置に設置した石収容箱へ排出して貯留する構成であり、又、石抜き後の選別済み玄米は、この石抜機１５から玄米供給昇穀機１６の下部に設けた供給漏斗１７へ供給する構成としている。
【００１６】
前記石抜機１５を設置したことにより、顧客に良質な白米を提供することができる。前記玄米供給昇穀機１６は、内部にバケットコンベア１８付ベルトを張設してなり、このバケットコンベア１８付ベルトは、昇穀機モータ１８ａで回転駆動する構成であり、上端部には、移送装置１９始端部との間において投出筒２０を設けて連通させた構成であり、該移送装置１９底板の各開口部には、自動切換装置２１ａ，２１ｂ，２１ｃを設け、これら自動切換装置２１ａ，２１ｂ，２１ｃは、作業者が切換操作する構成としている。
【００１７】
前記玄米供給装置７近傍には、作業者が後述する貯留タンク２４ａ，２４ｂ，２４ｃへ玄米を供給するときに、操作する石抜機１５の石抜シャッタ１５ａを開閉作動させるＯＮ−ＯＦＦスイッチ方式の石抜シャッタＳＷ２２ａを設け、又、移送装置１９の自動切換装置２１ａ，２１ｂ，２１ｃを切換操作する切換ＳＷ２２ｂを設け、更に該石抜機１５の石抜機モータ１５ｂ、及び該移送装置１９の移送モータ２３ａを始動、及び停止操作するＯＮ−ＯＦＦスイッチ方式の始動手段２２ｃを設けた構成としている。
【００１８】
前記移送装置１９には、回転自在に移送螺旋２３を内装して設け、この移送螺旋２３は、移送モータ２３ｂで回転駆動する構成であり、各自動切換装置２１ａ，２１ｂ，２１ｃの切換操作により、下側に設けた貯留タンク２４ａ，２４ｂ，２４ｃへ所定の玄米を供給する構成としている。例えば、コシヒカリを貯留タンク２４ａへ供給するときは、作業者が始動手段２２ｃをＯＮ操作、石抜シャッタＳＷ２２ａをＯＮ操作、及び切換ＳＷ２２ｂを操作して、石抜機１５、玄米供給昇穀機１６、及び移送装置１９を始動させると共に、該移送装置１９の自動切換装置２１ａを開作動させて、このコシヒカリを玄米供給装置７へ投入すると、この玄米供給装置７から該石抜機１５、投出筒２０、該移送装置１９、及び該自動切換装置２１ａを経て、該貯留タンク２４ａへ落下供給する構成である。ササニシキを貯留タンク２４ｂへ供給するときは、コシヒカリと同じ要領で操作するが、該移送装置１９の自動切換装置２１ｂのみは、該切換ＳＷ２２ｂを操作して開作動させ、このササニシキを該玄米供給装置７へ投入すると、コシヒカリと同じように、貯留タンク２４ｂへ落下供給する構成である。又、アキタコマチを貯留タンク２４ｃへ供給するときは、コシヒカリと同じ要領で操作するが、該移送装置１９の自動切換装置２１ｃのみは、該切換ＳＷ２２ｂを操作して開作動させ、このアキタコマチを該玄米供給装置７へ投入すると、コシヒカリと同じように貯留タンク２４ｃへ落下供給する構成としている。
【００１９】
前記貯留タンク２４ａ，２４ｂ，２４ｃ内には、これら各貯留タンク２４ａ，２４ｂ，２４ｃ内の最低玄米量を検出するＯＮ−ＯＦＦスイッチ方式の貯留センサ２５ａ，２５ｂ，２５ｃを設け、これら各貯留センサ２５ａ，２５ｂ，２５ｃ，……のＯＦＦにより、最低玄米量以下になったと判定する構成であり、このＯＦＦによって、操作装置１２の表示手段１２ｆには、これらＯＦＦになった各該貯留タンク２４ａ，２４ｂ，２４ｃ内に所定の玄米がなくなり、玄米が売り切れであるとデジタル表示する構成としている。
【００２０】
前記機械室３には、貯留タンク２４ａ，２４ｂ，２４ｃ内へ貯留された玄米が劣化しない温度、例えば、１０度〜１５℃（実施例では約１５℃）に穀粒温度を保持すべく冷却装置２６を設けている。これら貯留タンク２４ａ，２４ｂ，２４ｃの下部には、移送螺旋４３を内装した移送装置４４を個別に設け、これら各移送装置４４の玄米排出口には、開閉自在な自動切換装置２７ａ，２７ｂ，２７ｃを設け、操作装置１２に設けた各品種設定手段１２ａのＯＮ−ＯＦＦ操作により、これら各自動切換装置２７ａ，２７ｂ，２７ｃは開閉制御され、下側に設けた計量供給装置２８へ各種玄米を落下供給する構成としている。尚、該貯留タンク２４ａ，２４ｂ，２４ｃ内を所定温度に冷却して保持すべく、これら貯留タンク２４ａ，２４ｂ，２４ｃに個別に冷却手段を設ける構成とするもよい。
【００２１】
前記計量供給装置２８には、この計量供給装置２８内へ落下供給される各種玄米を計量するロードセル等よりなり、例えば、５０ｋｇ／１台で測定可能な計量装置２９，２９を両側に設けると共に、下部には自動切換装置３０を設け、操作装置１２の始動手段１２ｄのＯＮ−ＯＦＦ操作により、この自動切換装置３０が開閉制御され、下側に設けた移送装置３１へ計量済み玄米を、落下供給する構成としている。
【００２２】
前記移送装置３１には、回転自在に移送螺旋３２を内装して設け、この移送装置３１の移送終端部は、精米供給昇穀機３３の下部に設けた供給漏斗３４上側に位置させ、計量済み玄米を、この供給漏斗３４へ供給する構成であり、該移送装置３２は、移送モータ３２ａで回転駆動する構成としている。前記精米供給昇穀機３３は、内部にバケットコンベア３５付ベルトを張設してなり、このバケットコンベア３５付ベルトは、昇穀機モータ３５ａで回転駆動される構成であり、上端部は、精米機３６上部に設けた精米貯留タンク３７と連接させた構成とし、計量済み玄米を、該精米供給昇穀機３３から該精米貯留タンク３７を経て該精米機３６へ供給する構成としている。
【００２３】
前記精米機３６は、供給を受けた玄米を、精白ロール網内に移送溝を有して回転自在に設けた精白ロールにより、移送されながら精米され、精米された白米を、該精白ロール網終端部に設けた排出口から白米タンク３８内へ排出供給する構成であり、この精米機３６の各部は、精米機モータ３６ａで回転駆動する構成である。又、糠は、該精白ロール網から漏下し、該精米機３６内下部に設けた糠袋３９内へ貯留する構成であり、作業者がこの糠袋３９を交換するときは、出入口８の扉９を開操作し、この出入口８から入って行う構成としている。
【００２４】
前記精米機３６の精白ロール網終端部の排出口部には、精白度合を調節する圧力調節弁４０を設けた構成である。前記白米タンク３８内へ貯留された白米の取り出しは、操作室２の内の袋自動取出装置４２から白米袋４１を取り出し、該白米タンク３８下側にこの白米袋４１を設置し、該白米タンク３８を操作して、白米を該白米袋４１へ排出する構成としている。
【００２５】
顧客が白米を購入する作業を説明すると、顧客が必要とする品種、精米量、及び精白度等を操作室２内の操作装置１２の操作パネル１３ａを操作して設定し、その後この操作装置１２のこの操作パネル１３ａを操作して、精白自動販売機４を始動させ、この精白自動販売機４の始動により、貯留タンク２６ａ，２６ｂ，２６ｃの自動切換装置２７ａ，２７ｂ，２７ｃの開作動により、これら貯留タンク２６ａ，２６ｂ，２６ｃから設定した品種が計量供給装置２８へ供給され、設定した玄米量が計量装置２９で計量される。これら設定した品種、及び玄米量毎に繰返し行われて貯留され、計量が終了すると、自動切換装置３０の開作動により、この計量供給装置２８から移送装置３１へ落下排出され、この移送装置３１で移送されて供給漏斗３４へ排出され、この供給漏斗３４から精米供給昇穀機３３を経て精米貯留タンク３７へ供給され、この精米貯留タンク３７から精米機３６へ供給されて精米され、精米済み白米は、白米タンク３８へ排出され、この白米タンク３８から白米袋４１へ排出される。
【００２６】
又、精米のときに発生する糠は、精米機３６下部に設置した糠袋３９内へ漏下して貯留される。
【図面の簡単な説明】
【図１】要部の全体側面図
【図２】精米自動販売機の全体平面図
【図３】精米自動販売機の一部破断せる全体側面図
【図４】精米自動販売機の一部破断せる全体平面図
【図５】ブロック図
【符号の説明】
２ 操作室
３ 機械室
１２ 操作装置
２４ａ 貯留タンク
２４ｂ 貯留タンク
３６ 精米機
【図１】
0003765165.tif 000002
【図２】
0003765165.tif 000003
【図３】
0003765165.tif 000004
【図４】
0003765165.tif 000005
【図５】
0003765165.tif 000006